(57)【要約】  家電機器のネットワーク接続方法、家電機器および家電システムのネットワーク接続方法である。家電機器のネットワーク接続方法では、まず、家電機器におけるＷｉＦｉモジュールをスヌープモードにおいてネットワークに接続し、失敗した場合、ホットスポットモードに入ってネットワークに接続する。このネットワーク接続方法は、互換性が良く、操作しやすく、ネットワーク接続の効率が高く、ユーザ体験がより良好であり、該ネットワーク接続方法を使用した家電機器も、更にネットワークに接続しやすく、遠隔操作を実現しやすい。【選択図】図２
2019537322.tif 000002
【特許請求の範囲】
【請求項１】
家電機器におけるＷｉＦｉモジュールは、ネットワーク接続トリガ情報を受信することと、
前記ＷｉＦｉモジュールは、前記ネットワーク接続トリガ情報に応じてスヌープモードに入ることと、
前記スヌープモードにおいて、該ＷｉＦｉモジュールがネットワーク設定情報のブロードキャストパケットを受信成功して解析した場合、前記家電機器は、ネットワークに接続されることと、
家電機器がネットワークに接続できない場合、前記ＷｉＦｉモジュールは、前記ネットワーク接続トリガ情報に応じてホットスポットモードに入ることと、
前記ホットスポットモードにおいて、該ＷｉＦｉモジュールがネットワーク設定情報を受信成功した場合、前記家電機器は、ネットワークに接続されることと、を含む、
家電機器のネットワーク接続方法。
【請求項２】
前記家電機器がネットワークに接続できないことは、
前記ＷｉＦｉモジュールが第１の設定時間Ｔ１内でネットワーク設定情報のブロードキャストパケットを受信していないこと、または、前記ＷｉＦｉモジュールが第２の設定時間Ｔ２内でネットワーク設定情報のブロードキャストパケットを解析失敗したことを含む、
請求項１に記載の家電機器のネットワーク接続方法。
【請求項３】
前記ホットスポットモードにおいて、前記ＷｉＦｉモジュールが第３の設定時間Ｔ３内でネットワーク設定情報を受信していない場合、または、前記ＷｉＦｉモジュールが第４の設定時間Ｔ４内でネットワーク設定情報を受信したが、家電機器がネットワークに接続できない場合、ネットワーク接続が失敗し、ネットワーク接続を停止すること、を更に含む、
請求項１または２に記載の家電機器のネットワーク接続方法。
【請求項４】
前記ネットワーク接続が失敗し、ネットワーク接続を停止した後に、
家電機器により、スヌープモードまたはホットスポットモードに入り、または、設定時間内でスヌープモードとホットスポットモードとのスイッチングを行ってネットワーク接続を行うように前記ＷｉＦｉモジュールを自動的に駆動すること、または、
家電機器におけるボタンを触ることにより、スヌープモードまたはホットスポットモードに入り、または、設定時間内でスヌープモードとホットスポットモードとのスイッチングを行ってネットワーク接続を行うように前記ＷｉＦｉモジュールを手動で駆動すること、を更に含む、請求項３に記載の家電機器のネットワーク接続方法。
【請求項５】
前記第１の設定時間Ｔ１の時間長≦前記第２の設定時間Ｔ２の時間長であり、
前記第３の設定時間Ｔ３の時間長≦前記第４の設定時間Ｔ４の時間長である、
請求項３に記載の家電機器のネットワーク接続方法。
【請求項６】
前記ネットワーク接続トリガ情報を受信することは、
家電機器におけるボタンを触ることにより、前記ＷｉＦｉモジュールにネットワーク接続トリガ情報を送信し、前記ＷｉＦｉモジュールが前記ネットワーク接続トリガ情報を受信すること、または、
家電機器が出荷された後にネットワークに接続されたことがない、またはネットワークに接続成功したことがない場合、前記ＷｉＦｉモジュールは、パワーオンされると、ネットワーク接続トリガ情報を自動的に受信すること、を含む、
請求項１に記載の家電機器のネットワーク接続方法。
【請求項７】
前記ネットワーク設定情報のブロードキャストパケットまたは前記ネットワーク設定情報は、ルータのサービスセット識別子ＳＳＩＤ、パスワード情報、および移動端末の固有識別コードのうちの少なくとも１つを含む、
請求項１に記載の家電機器のネットワーク接続方法。
【請求項８】
プロセッサ、メモリおよびＷｉＦｉモジュールを備え、
前記メモリは、ソフトウェアプログラム、コンピュータ実行可能プログラムおよびモジュールを記憶するように構成され、
前記プロセッサは、ＷｉＦｉモジュールを請求項１から７のいずれか１項に記載のネットワーク接続方法によってネットワークに接続させるように、前記メモリに記憶されたソフトウェアプログラム、命令およびモジュールを実行することで、様々な機能アプリケーションおおよびデータ処理を実行するように構成される、
家電機器。
【請求項９】
移動端末がルータに接続されることと、
家電機器におけるＷｉＦｉモジュールがスヌープモードに入り、該ＷｉＦｉモジュールが前記移動端末から送信されたルータのネットワーク設定情報のブロードキャストパケットを受信成功して解析した場合、家電機器が前記ルータのネットワークに接続され、且つ、前記移動端末が前記ルータのネットワークに接続された前記家電機器を検出した場合、前記移動端末は、前記家電機器およびユーザの情報をサーバに送信することと、
家電機器がルータのネットワークに接続成功していない場合、前記ＷｉＦｉモジュールは、ホットスポットモードに入り、該ＷｉＦｉモジュールが前記移動端末から送信されたルータのネットワーク設定情報を受信成功した場合、家電機器が前記ルータのネットワークに接続され、且つ、前記移動端末が前記ルータのネットワークに接続された前記家電機器を検出した場合、前記移動端末は、前記家電機器およびユーザの情報をサーバに送信することと、を含む、
家電システムのネットワーク接続方法。
【請求項１０】
前記ＷｉＦｉモジュールがスヌープモードにある場合、前記移動端末が第５の設定時間Ｔａ内で前記ルータのネットワークに接続された家電機器を検出していない場合、該移動端末は、前記家電機器およびユーザの情報をサーバに送信できず、一方、前記移動端末が該移動端末の周囲の家電機器のＷｉＦｉホットスポットを検出した場合、ルータのネットワーク設定情報を家電機器におけるＷｉＦｉモジュールに送信し、前記移動端末が該移動端末の周囲の家電機器ＷｉＦｉホットスポットを検出していない場合、家電システムのネットワーク接続プロセスを停止し、
前記ＷｉＦｉモジュールがホットスポットモードにある場合、前記移動端末が第６の設定時間Ｔｂ内で前記ルータのネットワークに接続された家電機器を検出していない場合、家電システムのネットワーク接続プロセスを停止する、
請求項９に記載の家電システムのネットワーク接続方法。
【請求項１１】
家電機器、ルータ、サーバおよび移動端末を備え、
前記家電機器は、ＷｉＦｉモジュールを備え、ＷｉＦｉモジュールによってルータに接続され、前記ルータによって前記サーバと通信し、
前記ＷｉＦｉモジュールは、ネットワーク接続トリガ情報を受信し、前記ネットワーク接続トリガ情報に応じてスヌープモードに入るように構成され、前記スヌープモードにおいて、ネットワーク設定情報のブロードキャストパケットを受信成功して解析した場合、前記家電機器がネットワークに接続され、家電機器がネットワークに接続できない場合、前記ネットワーク接続トリガ情報に応じてホットスポットモードに入り、前記ホットスポットモードにおいて、ネットワーク設定情報を受信成功した場合、前記家電機器がネットワークに接続され、
前記サーバは、ユーザアカウントの登録および管理、家電機器とユーザアカウントとのバインディングおよび管理、および家電に制御命令を送信して家電が報告した情報を受信することを含む家電管理プラットホームサービスを提供し、
前記移動端末は、前記ルータおよび前記サーバと通信する、家電システム。
【請求項１２】
請求項１から７または請求項９から１０のいずれか１項に記載の方法を実行するためのコンピュータ実行可能命令が記憶される、
コンピュータ可読記憶媒体。
【発明の詳細な説明】
【技術分野】
【０００１】
本開示は、スマート家電の制御技術分野に関し、例えば、家電機器のネットワーク接続方法、家電機器および家電システムのネットワーク接続方法に関する。
【背景技術】
【０００２】
電気通信網、インターネット、テレビネットワークとの３つのネットワークの統合や、テレビ、携帯電話、ＰＡＤ、及びコンピュータの「４画面の一体化」に伴い、スペースの圧縮、時間の延長が可能となり、知能化は時代発展の傾向である。３つのネットワークの統合およびＩｏＴ技術が適用されると、冷蔵庫、電灯、エアコン、テレビ、ＤＶＤ、オーディオ、電子レンジ、洗濯機等の電気機器は知能時代に入り、携帯電話または他の集積装置により、家電を容易に制御することができる。
【０００３】
関連技術における家電システムは、図１に示すように、内部にＷｉＦｉ（登録商標）モジュールが設けられた家電機器１（本図では洗濯機である）、ルータ２、サーバ３および移動端末４を備え、ネットワーク接続を行うことによって移動端末４による家電機器１の制御を実現する。このようなスマート制御を実現するために、まず、家電機器をネットワークに接続する必要があるが、多くの家電機器はディジタル管で表示し、タッチパネルが付いていないため、ルータに接続するために操作パネルにＷｉＦｉモジュールを直接に配置することができない。通常、ホットスポットモードに入るようにＷｉＦｉモジュールを設定し、移動端末によってＷｉＦｉに接続されてルータ設定情報を間接的にＷｉＦｉモジュールに送信し、最後に、ＷｉＦｉモジュールを再起動してルータに接続する必要がある。このようなネットワーク接続方法は互換性が良いが、操作手順が複雑で、ユーザ体験が悪い。また、家電機器のＷｉＦｉモジュールをスヌープモードに設定し、移動端末によってルータの設定情報をブロードキャストパケットの方式で家電機器に送信し、家電機器は、ブロードキャストパケットを受信すると、設定情報を自動的に解析してルータに接続するネットワーク接続方法がある。このような方法は、操作しやすく、移動端末が設定プロセスにおいてネットワークを切り替える必要がないが、該方法は互換性が悪く、特殊な移動端末およびルータが存在すると、設定に成功できなくなる。
【発明の概要】
【発明が解決しようとする課題】
【０００４】
本開示は、互換性が良く、操作しやすい家電機器のネットワーク接続方法、該ネットワーク接続方法を使用した家電機器、および互換性が良く、操作しやすい家電システムのネットワーク接続方法を提供する。
【課題を解決するための手段】
【０００５】
家電機器におけるＷｉＦｉモジュールは、ネットワーク接続トリガ情報を受信することと、
前記ＷｉＦｉモジュールは、前記ネットワーク接続トリガ情報に応じてスヌープモードに入ることと、
前記スヌープモードにおいて、該ＷｉＦｉモジュールがネットワーク設定情報のブロードキャストパケットを受信成功して解析した場合、前記家電機器は、ネットワークに接続されることと、
家電機器がネットワークに接続できない場合、前記ＷｉＦｉモジュールは、前記ネットワーク接続トリガ情報に応じてホットスポットモードに入ることと、
前記ホットスポットモードにおいて、該ＷｉＦｉモジュールがネットワーク設定情報を受信成功した場合、家電機器は、ネットワークに接続されることと、を含む、
家電機器のネットワーク接続方法。
【０００６】
好ましくは、前記家電機器がネットワークに接続できないことは、
前記ＷｉＦｉモジュールが第１の設定時間Ｔ１内でネットワーク設定情報のブロードキャストパケットを受信していないこと、または、前記ＷｉＦｉモジュールが第２の設定時間Ｔ２内でネットワーク設定情報のブロードキャストパケットを解析失敗したことを含む。
【０００７】
好ましくは、前記家電機器のネットワーク接続方法は、ホットスポットモードにおいて、前記ＷｉＦｉモジュールが第３の設定時間Ｔ３内でネットワーク設定情報を受信していない場合、または、前記ＷｉＦｉモジュールが第４の設定時間Ｔ４内でネットワーク設定情報を受信したが、家電機器がネットワークに接続できない場合、ネットワーク接続が失敗し、ネットワーク接続を停止すること、を更に含む。
【０００８】
好ましくは、前記ネットワーク接続が失敗し、ネットワーク接続を停止した後に、前記家電機器のネットワーク接続方法は、
家電機器により、スヌープモードまたはホットスポットモードに入り、または、設定時間内でスヌープモードとホットスポットモードとのスイッチングを行ってネットワーク接続を行うように前記ＷｉＦｉモジュールを自動的に駆動すること、または、
家電機器におけるボタンを触ることにより、スヌープモードまたはホットスポットモードに入り、または、設定時間内でスヌープモードとホットスポットモードとのスイッチングを行ってネットワーク接続を行うように前記ＷｉＦｉモジュールを手動で駆動すること、を更に含む。
【０００９】
好ましくは、前記第１の設定時間Ｔ１の時間長≦前記第２の設定時間Ｔ２の時間長であり、
前記第３の設定時間Ｔ３の時間長≦前記第４の設定時間Ｔ４の時間長である。
【００１０】
好ましくは、前記ネットワーク接続トリガ情報を受信することは、
家電機器におけるコンピュータボードコントローラに接続されたパネル上のボタンを触ることにより、前記ＷｉＦｉモジュールにネットワーク接続トリガ情報を送信し、前記ＷｉＦｉモジュールが前記ネットワーク接続トリガ情報を受信すること、または、
家電機器が出荷された後にネットワークに接続されたことがない、またはネットワークに接続成功したことがない場合、前記ＷｉＦｉモジュールは、パワーオンされると、ネットワーク接続トリガ情報を自動的に受信すること、を含む。
【００１１】
好ましくは、前記ネットワーク設定情報のブロードキャストパケットまたは前記ネットワーク設定情報は、ルータのサービスセット識別子ＳＳＩＤ、パスワード情報、および移動端末の固有識別コードのうちの少なくとも１つを含む。
【００１２】
プロセッサ、メモリおよびＷｉＦｉモジュールを備え、
前記メモリは、ソフトウェアプログラム、コンピュータ実行可能プログラムおよびモジュールを記憶するように構成され、
前記プロセッサは、ＷｉＦｉモジュールを上記いずれか１種のネットワーク接続方法によってネットワークに接続させるように、前記メモリに記憶されたソフトウェアプログラム、命令およびモジュールを実行することで、様々な機能アプリケーションおよびデータ処理を実行するように構成される、家電機器。
【００１３】
移動端末がルータに接続されることと、
家電機器におけるＷｉＦｉモジュールがスヌープモードに入り、該ＷｉＦｉモジュールが前記移動端末から送信されたルータのネットワーク設定情報のブロードキャストパケットを受信成功して解析した場合、家電機器が前記ルータのネットワークに接続され、且つ、前記移動端末が前記ルータのネットワークに接続された前記家電機器を検出した場合、前記移動端末は、前記家電機器およびユーザの情報をサーバに送信することと、
家電機器がルータのネットワークに接続成功していない場合、前記ＷｉＦｉモジュールは、ホットスポットモードに入り、該ＷｉＦｉモジュールが前記移動端末から送信されたルータのネットワーク設定情報を受信成功した場合、家電機器が前記ルータのネットワークに接続され、且つ、前記移動端末が前記ルータのネットワークに接続された前記家電機器を検出した場合、前記移動端末は、前記家電機器およびユーザの情報をサーバに送信することと、を含む、
家電システムのネットワーク接続方法。
【００１４】
好ましくは、前記ＷｉＦｉモジュールがスヌープモードにある場合、前記移動端末が第５の設定時間Ｔａ内で前記ルータのネットワークに接続された家電機器を検出していない場合、該移動端末は、前記家電機器およびユーザの情報をサーバに送信できず、一方、前記移動端末が該移動端末の周囲の家電機器のＷｉＦｉホットスポットを検出した場合、ルータのネットワーク設定情報を家電機器におけるＷｉＦｉモジュールに送信し、前記移動端末が該移動端末の周囲の家電機器ＷｉＦｉホットスポットを検出していない場合、家電システムのネットワーク接続プロセスを停止し、
前記ＷｉＦｉモジュールがホットスポットモードにある場合、前記移動端末が第６の設定時間Ｔｂ内で前記ルータのネットワークに接続された家電機器を検出していない場合、家電システムのネットワーク接続プロセスを停止する。
【００１５】
家電機器、ルータ、サーバおよび移動端末を備え、
前記家電機器は、ＷｉＦｉモジュールを備え、ＷｉＦｉモジュールによってルータに接続され、前記ルータによって前記サーバと通信し、
前記ＷｉＦｉモジュールは、ネットワーク接続トリガ情報を受信し、前記ネットワーク接続トリガ情報に応じてスヌープモードに入るように構成され、前記スヌープモードにおいて、ネットワーク設定情報のブロードキャストパケットを受信成功して解析した場合、前記家電機器がネットワークに接続され、ネットワークに接続できない場合、前記ネットワーク接続トリガ情報に応じてホットスポットモードに入り、前記ホットスポットモードにおいて、ネットワーク設定情報を受信成功した場合、前記家電機器がネットワークに接続され、
前記サーバは、ユーザアカウントの登録および管理、家電機器とユーザアカウントとのバインディングおよび管理、および家電に制御命令を送信して家電から報告された情報を受信することを含む家電管理プラットホームサービスを提供し、
前記移動端末は、前記ルータおよび前記サーバと通信する、家電システム。
【００１６】
上記方法を実行するためのコンピュータ実行可能命令が記憶される、
コンピュータ可読記憶媒体。
【００１７】
１つまたは複数のプロセッサ、メモリ、ＷｉＦｉモジュールおよび１つまたは複数のプログラムを備え、前記１つまたは複数のプログラムはメモリに記憶され、１つまたは複数のプロセッサに実行されると、前記プロセッサは、ＷｉＦｉモジュールに上記方法を実行させる、家電装置。
【００１８】
プログラム命令を含む、非一時的コンピュータ可読記憶媒体に記憶されるコンピュータプログラムを含み、前記プログラム命令がコンピュータに実行されると、前記コンピュータに上記いずれか１種の方法を実行させる、コンピュータプログラム製品。
【発明の効果】
【００１９】
本開示に係る家電機器のネットワーク接続方法、家電機器および家電システムのネットワーク接続方法は、まず、家電機器におけるＷｉＦｉモジュールをスヌープモードにおいてネットワーク接続を行い、ネットワーク接続が失敗した場合、ＷｉＦｉモジュールは、ホットスポットモードに入ってネットワーク接続を行う。このネットワーク接続方法は、互換性が良く、操作しやすく、ネットワーク接続の効率が高く、ユーザ体験がより良好であり、該ネットワーク接続方法を使用した家電機器も、遠隔操作を実現するように、更にネットワーク接続をしやすい。
【図面の簡単な説明】
【００２０】
【図１】家電システムがネットワーク接続されて通信する模式図
【図２】本実施例に係る家電機器のネットワーク接続方法のフローチャート
【図３】本実施例に係る家電システムのネットワーク接続方法のフローチャート
【図４】本実施例に係る家電装置のハードウェアの構造模式図
【発明を実施するための形態】
【００２１】
以下、図面および具体的な実施形態を参照しながら、本開示の技術案について説明する。
【００２２】
図１に示すように、家電機器１、ルータ２、サーバ３および移動端末４を備える家電システムである。本実施例において、家電機器１は洗濯機であり、家電機器１において、コンピュータボードコントローラは家電の自動運転を制御する家電本体の制御部品である。コンピュータボードコントローラは、ネットワーク接続部品ＷｉＦｉモジュール（ＷｉＦｉモジュールは、コンピュータボードコントローラに設けられるほか、１つの独立したモジュールとして設けられてもよい）によってインターネットに接続され、サーバ３と通信する。サーバ３は、ユーザアカウントの登録および管理、家電機器とユーザアカウントとのバインディングおよび管理、および家電に制御命令を送信して家電から報告された情報を受信すること等を含む家電管理プラットホームサービスを提供するために使用される。ユーザは、サーバのＷｅｂサイトでアカウントを登録して自分の家電を管理することができる。ユーザは、移動端末４（例えば、携帯電話、ＰＡＤ）でリモートクライアントをインストールし、アカウントを登録して家電機器と関連してバインディングすると、家電機器の運転状態をリアルタイムに確認して家電を遠隔制御することを実現できる。
【００２３】
上記スマート制御を実現するために、まず、家電機器および家電システムに対してネットワーク接続を行う必要があり、そのために、本実施例は、図２に示すように、以下のようなステップを含む家電機器のネットワーク接続方法を提供する。
【００２４】
ステップ２００において、ネットワーク接続トリガ情報を受信する。
【００２５】
好ましくは、家電機器におけるコンピュータボードコントローラに接続されたパネル上のボタンを触ることにより、家電機器のコンピュータボードコントローラにおけるＷｉＦｉモジュールにネットワーク接続トリガ情報を送信し、ＷｉＦｉモジュールは、該ネットワーク接続トリガ情報を受信する。
【００２６】
ＷｉＦｉモジュールがネットワーク接続トリガ情報を受信し、家電機器が出荷された後にネットワークに接続されたことがない、または、ネットワークに接続成功したことがない場合、パワーオンされると、前記ＷｉＦｉモジュールは、ネットワーク接続トリガ情報を自動的に受信する。
【００２７】
ステップ２１０において、前記ＷｉＦｉモジュールはスヌープモードに入り、該ＷｉＦｉモジュールがネットワーク設定情報のブロードキャストパケットを受信成功して解析した場合、家電機器は、ネットワークに接続される。
【００２８】
ステップ２２０において、ＷｉＦｉモジュールが第１の設定時間Ｔ１内でネットワーク設定情報のブロードキャストパケットを受信したか否かを判断する。
【００２９】
ステップ２３０において、ＷｉＦｉモジュールが第１の設定時間Ｔ１内でネットワーク設定情報のブロードキャストパケットを受信した場合、ＷｉＦｉモジュールは、スヌープモードを終了してルータに接続される。
【００３０】
ステップ２４０において、ＷｉＦｉモジュールが第２の設定時間Ｔ２内でルータに接続成功したか否かを判断し、すなわち、ＷｉＦｉモジュールが第２の設定時間Ｔ２内でネットワーク設定情報のブロードキャストパケットを解析成功したか否かを判断する。
【００３１】
ステップ２５０において、ＷｉＦｉモジュールが第２の設定時間Ｔ２内で接続成功した場合、ネットワーク接続は成功する。
【００３２】
ネットワーク接続の効率を向上させ、時間リソースの無駄遣いを回避するために、ＷｉＦｉモジュールがスヌープモードにある場合、前記ＷｉＦｉモジュールが第１の設定時間Ｔ１内でネットワーク設定情報のブロードキャストパケットを受信していない場合、または第２の設定時間Ｔ２内でネットワーク設定情報のブロードキャストパケットを解析失敗すると、ネットワーク接続が失敗し、家電機器はネットワークに接続できない。ここで、前記第１の設定時間Ｔ１の時間長≦前記第２の設定時間Ｔ２の時間長であり、本実施例において、Ｔ１＝Ｔ２＝１分間であり、つまり、ＷｉＦｉモジュールが１分間内でネットワーク設定情報のブロードキャストパケットを受信していない場合、または１分間内でネットワーク設定情報のブロードキャストパケットを解析失敗すると、ネットワーク接続が失敗し、家電機器はネットワークに接続できない。
【００３３】
ステップ２６０において、ＷｉＦｉモジュールが第１の設定時間Ｔ１内でネットワーク設定情報のブロードキャストパケットを受信していない場合、または、ＷｉＦｉモジュールが第２の設定時間Ｔ２内でルータに接続成功していない場合、ＷｉＦｉモジュールは、ホットスポットモードに入る。
【００３４】
家電機器がスヌープモードによってネットワークに接続できない場合、前記ＷｉＦｉモジュールは、ホットスポットモードに入り、該ＷｉＦｉモジュールがネットワーク設定情報を受信成功した場合、家電機器は、ネットワークに接続される。
【００３５】
ステップ２７０において、ＷｉＦｉモジュールが第３の設定時間Ｔ３内でネットワーク設定情報を受信したか否かを判断する。
【００３６】
ステップ２８０において、ＷｉＦｉモジュールが第３の設定時間Ｔ３内でネットワーク設定情報を受信した場合、ＷｉＦｉモジュールは、ホットスポットモードを終了してルータに接続される。
【００３７】
ステップ２９０において、ＷｉＦｉモジュールが第４の設定時間Ｔ４内でルータに接続成功したか否かを判断し、すなわち、ＷｉＦｉモジュールが第４の設定時間Ｔ４内でネットワーク設定情報を解析成功したか否かを判断する。
【００３８】
ステップ２５０において、ＷｉＦｉモジュールが第４の設定時間Ｔ４内で接続成功した場合、ネットワーク接続は成功する。
【００３９】
ステップ３００において、ＷｉＦｉモジュールが第３の設定時間Ｔ３内でネットワーク設定情報を受信していない場合、または、ＷｉＦｉモジュールが第４の設定時間Ｔ４内でルータに接続成功していない場合、ＷｉＦｉモジュールのネットワーク接続は失敗する。
【００４０】
同様に、ネットワーク接続の効率を向上させ、時間リソースの無駄遣いを回避するために、ＷｉＦｉモジュールがホットスポットモードにある場合、第３の設定時間Ｔ３内でネットワーク設定情報を受信していない場合、または、第４の設定時間Ｔ４内でネットワーク設定情報を受信しても家電機器がネットワークに接続できない場合、ネットワーク接続が失敗し、ネットワーク接続を停止する。ここで、前記第３の設定時間Ｔ３の時間長≦前記第４の設定時間Ｔ４の時間長であり、本実施例においてＴ３＝Ｔ４＝５分間で、つまり、５分間内でネットワーク設定情報を受信していない場合、または一定の時間Ｔ４内でネットワーク設定情報を受信しても家電機器がネットワークに接続できない場合、ネットワーク接続が失敗し、ネットワーク接続を停止する。
【００４１】
ＷｉＦｉモジュールのネットワーク接続が失敗し、ネットワーク接続を停止した後に、本実施例に係る家電機器のネットワーク接続方法は、以下のステップを含む。
【００４２】
家電機器は、電気機器のコンピュータボードコントローラによる制御で、スヌープモードまたはホットスポットモードに入り、または、一定の時間内でスヌープモードとホットスポットモードとのスイッチングを行ってネットワーク接続を行うように前記ＷｉＦｉモジュールを自動的に駆動すること、または、
家電機器におけるコンピュータボードコントローラに接続されたパネル上のボタンを触ることにより、スヌープモードまたはホットスポットモードに入り、または、一定の時間内でスヌープモードとホットスポットモードとのスイッチングを行ってネットワーク接続を行うように前記ＷｉＦｉモジュールを手動で駆動することができる。
【００４３】
上記自動または手動で駆動した後に、家電機器が依然としてネットワークに接続成功できない場合、最終的に、ネットワーク接続プロセスを停止し、点検を待つ。
【００４４】
通常、家電システムにおける家電機器は、ルータによってネットワークに接続されることが多いため、前記ネットワーク設定情報のブロードキャストパケットまたは前記ネットワーク設定情報は、ルータのサービスセット識別子（Ｓｅｒｖｉｃｅ  Ｓｅｔ  Ｉｄｅｎｔｉｆｉｅｒ、ＳＳＩＤ）、パスワード情報、および移動端末の固有識別コードのうちの少なくとも１つを含む。
【００４５】
上記家電機器のネットワーク接続方法では、まず、スヌープモードにおいて家電機器におけるＷｉＦｉモジュールに対してネットワーク接続を行い、失敗した場合、ホットスポットモードに入ってネットワーク接続を行う。このようなネットワーク接続方法は、互換性が良く、操作しやすく、ネットワーク接続の効率が高く、ユーザ体験がより良好であり、該ネットワーク接続方法を使用した家電機器も、更にネットワークに接続しやすく、遠隔操作を実現しやすい。
【００４６】
家電システムのスマート制御を実現するために、家電システム全体におけるアセンブリをネットワーク接続する必要があるため、本実施例は、図３に示すように、以下のようなステップを含む家電システムのネットワーク接続方法を更に提供する。
【００４７】
ステップ３１０において、移動端末がルータに接続される。
【００４８】
ステップ３２０において、移動端末のソフトウェアは、ルータのパスワードを入力するようにユーザに提示し、家電機器を操作して設定モードをオンにする。
【００４９】
ステップ３３０において、家電機器におけるＷｉＦｉモジュールが設定モードに入る。
【００５０】
移動端末がルータに接続され、それと同時に、移動端末のソフトウェアは、ネットワークに接続される際に、ユーザが選択した家電機器の型番情報に基づき、家電機器をトリガして設定モードに入るようにユーザに提示し、ルータのパスワードを入力した後に、該移動端末は、該ルータのネットワーク設定情報のブロードキャストパケットを送信し、前記ルータのネットワークに接続された家電機器を検出する。
【００５１】
家電機器のコンピュータボードコントローラにおけるＷｉＦｉモジュールをトリガし、該ＷｉＦｉモジュールは、スヌープモードに入り、前記ルータのネットワーク設定情報のブロードキャストパケットを受信して解析する。該ＷｉＦｉモジュールが前記移動端末から送信されたルータのネットワーク設定情報のブロードキャストパケットを受信成功して解析し、家電機器が前記ルータのネットワークに接続され、且つ前記移動端末が前記ルータのネットワークに接続された家電機器を検出した場合、該移動端末は、前記家電機器およびユーザの情報をサーバに送信し、ネットワーク接続のバインディングを完了する。
【００５２】
ステップ３４０において、移動端末は、ルータのネットワーク設定情報をブロードキャストし、且つ該ルータに接続された家電機器を検出する。
【００５３】
ステップ３５０において、移動端末が第５の設定時間Ｔａ内で前記ルータのネットワークに接続された家電機器を検出したか否かを判断する。
【００５４】
ステップ３６０において、移動端末が第５の設定時間Ｔａ内で前記ルータのネットワークに接続された家電機器を検出した場合、家電機器およびユーザアカウントのバインディング情報をサーバに送信する。
【００５５】
ステップ３７０において、バインディングを完了し、ネットワーク接続は成功する。
【００５６】
ネットワーク接続の効率を向上させ、時間リソースの無駄遣いを回避するために、前記ＷｉＦｉモジュールがスヌープモードにある場合、前記移動端末が第５の設定時間Ｔａ内で前記ルータのネットワークに接続された家電機器を検出していない場合、該移動端末は前記家電機器およびユーザの情報をサーバに送信できず、一方、前記移動端末が該移動端末の周囲の家電機器のＷｉＦｉホットスポットを検出した場合、ルータのネットワーク設定情報を家電機器のコンピュータボードコントローラにおけるＷｉＦｉモジュールに送信し、前記移動端末が周囲の家電機器のＷｉＦｉホットスポットを検出していない場合、家電システムのネットワーク接続プロセスを停止し、ユーザに提示する。
【００５７】
ステップ３８０において、移動端末が第５の設定時間Ｔａ内で前記ルータのネットワークに接続された家電機器を検出していない場合、ＷｉＦｉモジュールはホットスポットモードに入り、移動端末は、周囲に家電機器のＷｉＦｉホットスポットがあるか否かを検出する。
【００５８】
ステップ３９０において、移動端末が特定の家電機器のＷｉＦｉホットスポット信号を検出したか否かを判断する。
【００５９】
ステップ４００において、移動端末が特定の家電機器のＷｉＦｉホットスポット信号を検出していない場合、再バインドするようにユーザに提示し、ステップ３２０を実行する。
【００６０】
ステップ４１０において、移動端末が特定の家電機器のＷｉＦｉホットスポット信号を検出していない場合、ＷｉＦｉホットスポットを手動で切り替えるようにユーザに提示する。
【００６１】
ステップ４２０において、移動端末が特定の家電機器のＷｉＦｉホットスポット信号を検出した場合、移動端末のＷｉＦｉを切り替え、家電機器のＷｉＦｉホットスポット信号に接続する。
【００６２】
ステップ４３０において、移動端末は設定情報を家電機器におけるＷｉＦｉモジュールに送信する。
【００６３】
ステップ４４０において、ＷｉＦｉモジュールは、ホットスポットモードを終了し、ルータに接続される。
【００６４】
ステップ４５０において、判断移動端末が第６の設定時間Ｔｂ内で前記ルータのネットワークに接続された家電機器を検出したか否かを判断する。
【００６５】
移動端末が第６の設定時間Ｔｂ内で前記ルータのネットワークに接続された家電機器を検出した場合、ステップ３６０を実行する。
【００６６】
ステップ４６０において、移動端末が第６の設定時間Ｔｂ内で前記ルータのネットワークに接続された家電機器を検出していない場合、ネットワーク接続のバインディングは失敗する。
【００６７】
家電機器がルータのネットワークに接続成功していない場合、前記ＷｉＦｉモジュールは、ホットスポットモードに入る。移動端末は、家電機器のＷｉＦｉホットスポットを自動的に検出し、移動端末が家電機器のＷｉＦｉホットスポットを自動的に検出していない場合、ユーザは、手動で移動端末によって家電機器のＷｉＦｉホットスポットを検出し、家電機器のＷｉＦｉホットスポットを検出した場合、移動端末は、家電機器のＷｉＦｉホットスポットに接続され、家電機器にルータのネットワーク設定情報を送信する。
【００６８】
家電機器のＷｉＦｉホットスポットを検出していない場合、家電機器におけるコンピュータボードコントローラに接続されたパネル上のボタンを触ることにより、移動端末が家電機器のＷｉＦｉホットスポットに接続されて家電機器にルータのネットワーク設定情報を送信するまで、家電機器のホットスポットを手動で切り替えることができる。あるいは、再バインドするようにユーザに提示し、移動端末のソフトウェアがネットワークに接続される際に、ユーザが選択した家電機器の型番情報に基づき、家電機器をトリガして設定モードに入るにようにユーザに提示するまで戻る。
【００６９】
該ＷｉＦｉモジュールが前記移動端末から送信されたルータのネットワーク設定情報を受信成功し、家電機器が前記ルータのネットワークに接続され、且つ前記移動端末が前記ルータのネットワークに接続された家電機器を検出した場合、該移動端末は、前記家電機器およびユーザの情報をサーバに送信し、ネットワーク接続のバインディングを完了する。
【００７０】
同様に、ネットワーク接続の効率を向上させ、時間リソースの無駄遣いを回避するために、前記ＷｉＦｉモジュールがホットスポットモードにある場合、前記移動端末が第６の設定時間Ｔｂ内で前記ルータのネットワークに接続された家電機器を検出していない場合、家電システムのネットワーク接続プロセスを停止し、ネットワーク接続のバインディングが失敗するようにユーザに提示し、点検を待つ。
【００７１】
好ましくは、Ｔａ＝Ｔｂ≧Ｔ２であり、本実施例において、Ｔａ＝Ｔｂ＝７５秒、つまり、前記ＷｉＦｉモジュールがスヌープモードにある場合、前記移動端末が７５秒内で前記ルータのネットワークに接続された家電機器を検出していない場合、該移動端末は、前記家電機器およびユーザの情報をサーバに送信できない。前記ＷｉＦｉモジュールがホットスポットモードにある場合、前記移動端末が７５秒内で前記ルータのネットワークに接続された家電機器を検出していない場合、家電システムのネットワーク接続プロセスを停止する。
【００７２】
本実施例に係る家電システムのネットワーク接続方法は、同様に、家電機器におけるＷｉＦｉモジュールをスヌープモードに設定し、移動端末および家電機器を同一のルータのネットワークに接続した後に、情報をサーバにアップロードする。失敗した場合、ホットスポットモードに入り、移動端末および家電機器を同一のルータのネットワークに接続した後に、情報をサーバにアップロードする。同様に、この家電システムのネットワーク接続方法は、互換性がより良く、更に操作しやすく、ネットワーク接続の効率がより高く、ユーザ体験がより良好である。
【００７３】
本実施例は、上記方法を実行するためのコンピュータ実行可能命令が記憶されるコンピュータ可読記憶媒体を更に提供する。
【００７４】
図４に示すように、本実施例に係る家電装置のハードウェアの構造模式図であり、図４に示すように、該家電装置は、プロセッサ（ｐｒｏｃｅｓｓｏｒ）４０１およびメモリ（ｍｅｍｏｒｙ）４０２を備え、通信インタフェース（Ｃｏｍｍｕｎｉｃａｔｉｏｎｓ  Ｉｎｔｅｒｆａｃｅ）４０３、バス４０４およびＷｉＦｉモジュール４０５を更に備えてもよい。
【００７５】
ここで、プロセッサ４０１、メモリ４０２および通信インタフェース４０３は、バス４０４によって相互間の通信を行うことができる。通信インタフェース４０３は情報伝送に使用でき、ＷｉＦｉモジュール４０５は上記実施例に係るＷｉＦｉモジュールであってもよい。プロセッサ４０１は、ＷｉＦｉモジュール４０５が上記実施例のいずれか１種のネットワーク接続方法を実行するように、メモリ４０２における論理命令を呼び出すことができる。
【００７６】
メモリ４０２は、プログラム記憶エリアおよびデータ記憶エリアを備えてもよく、プログラム記憶エリアは、オペレーティングシステムおよび少なくとも１つの機能に必要なアプリケーションを記憶することができる。データ記憶エリアは、電子機器の使用に応じて作成されたデータ等を記憶することができる。また、メモリは、例えば、ランダムアクセスメモリの揮発性メモリを含んでもよく、不揮発性メモリを更に含んでもよい。例えば、少なくとも１つの磁気ディスク記憶装置、フラッシュメモリ装置、または他の非一時的固体記憶装置である。
【００７７】
また、上記メモリ４０２における論理命令がソフトウェアの機能ユニットの形式で実現できて独立した製品として販売または使用される場合、該論理命令は、１つのコンピュータ可読記憶媒体に記憶されてもよい。このような理解に基づき、本開示の技術案は、コンピュータソフトウェア製品の形式で具現化することができ、該コンピュータソフトウェア製品は１つの記憶媒介に記憶されてもよく、１台のコンピュータ装置（パーソナルコンピュータ、サーバ、またはネットワーク機器等であってもよい）に本実施例に係る方法の全てまたは一部のステップを実行させるための複数の命令を含む。
【００７８】
記憶媒介は、非一時的記憶媒介であってもよく、一時的記憶媒介であってもよい。非一時的記憶媒介は、ＵＳＢ、リムーバブルハードディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスク等の様々なプログラムコードを記憶可能な媒体を含んでもよい。
【００７９】
上記実施例方法における全てまたは一部のフローを実現することは、コンピュータプログラムで関連するハードウェアを指示して行うことができ、該プログラムは、１つの非一時的コンピュータ可読記憶媒体に記憶されてもよく、該プログラムが実行されると、上記方法の実施例のフローを含んでもよい。
【産業上の利用可能性】
【００８０】
本開示に係る家電機器のネットワーク接続方法、家電機器および家電システムのネットワーク接続方法は、まず、スヌープモードにおいて家電機器におけるＷｉＦｉモジュールをネットワークに接続し、ネットワーク接続が失敗した場合、ＷｉＦｉモジュールは、ホットスポットモードに入ってネットワークに接続される。このネットワーク接続方法は、互換性が良く、操作しやすく、ネットワーク接続の効率が高く、ユーザ体験がより良好であり、該ネットワーク接続方法を使用した家電機器も、遠隔操作を実現するように、更にネットワークに接続しやすい。
【符号の説明】
【００８１】
１    家電機器
２    ルータ
３    サーバ
４    移動端末
【図１】
2019537322.tif 000003
【図２】
2019537322.tif 000004
【図３】
2019537322.tif 000005
【図４】
2019537322.tif 000006
【国際調査報告】
2019537322.tif 000007
2019537322.tif 000008
2019537322.tif 000009
2019537322.tif 000010